(57)【要約】      （修正有）【課題】疾患者の口腔内リンシング用、あるいはエチケット用、特に喫煙後の口腔内リンシングおよび消臭用として手軽に使用することができるとともに携行に便利な口腔内リンシングパイプを提供する。【解決手段】パイプ体１の内側に１回分の洗口剤３を充填して洗口剤収納部４を設けるとともに、洗口剤収納部４には洗口剤３の吸引用口部６を設け、かつパイプ体１の開口部には、洗口剤収納部４の吸引用口部６の通孔を水密的に密閉することのできる密栓用のキャップ１１を嵌着するとともにキャップ１１には、洗口剤収納部４と吸引口部６の通孔９を連通するための連通孔１２を設け、またキャップ１１を常時、密栓方向に付勢するスプリング１４等の弾性体を介装し、キャップ１１を弾性体の弾力に抗して押圧することにより吸引口部６の通孔９をパイプ体１の洗口剤収納部４と連通することができるように構成した。【選択図】図２
2014031184.tif 000002
【特許請求の範囲】
【請求項１】
パイプ体の内側に１回分の洗口剤を充填して洗口剤収納部を設けるとともに当該洗口剤収納部には洗口剤の吸引用口部を設け、かつ前記パイプ体の開口部には、前記洗口剤収納部の吸引用口部の通孔を水密的に密閉することのできる密栓用のキャップを嵌着するとともに当該キャップには、前記洗口剤収納部の吸引用口部の通孔を連通するための連通孔を設け、また前記キャップを常時、密栓方向に付勢するスプリング等の弾性体を介装し、前記キャップを当該弾性体の弾力に抗して押圧することにより前記吸引用口部の通孔を前記パイプ体の洗口剤収納部と連通することができるように構成したことを特徴とする口腔内リンシングパイプ。
【請求項２】
パイプ体の内側を長さ方向に２分割する隔壁を設け、当該隔壁の一側に１回分の洗口剤を充填して洗口剤収納部を設けるとともに他側にリンシング処理液の吐下液収納部を設け、さらに前記洗口剤収納部には洗口剤の吸引用口部を設けるとともに前記吐下液収納部には吐下用口部を設け、かつ前記パイプ体の開口部には、前記洗口剤収納部と吐下液収納部の吸引用口部と吐下用口部の通孔を水密的に密閉することのできる密栓用のキャップを嵌着するとともに当該キャップには、前記各収納部と前記各口部の通孔を連通するための連通孔を設け、また前記キャップを常時、密栓方向に付勢するスプリング等の弾性体を介装し、前記キャップを当該弾性体の弾力に抗して押圧することにより前記各口部の通孔を前記パイプ体の各収納部と連通することができるように構成したことを特徴とする口腔内リンシングパイプ。
【請求項３】
前記吐下液収納部には、吐下液を吸湿処理するための吸湿性高分子等の吸湿剤を充填することにより構成したことを特徴とする請求項２記載の口腔内リンシングパイプ。
【発明の詳細な説明】
【技術分野】
【０００１】
本発明は、疾患者の口腔内リンシング用、あるいはエチケット用、特に喫煙後の口腔内リンシングおよび消臭用として手軽に使用することができるとともに携行に便利な口腔内リンシングパイプに関するものである。
【背景技術】
【０００２】
近時は、外出先あるいは旅行先等の随意のうがいを目的とした携帯用紙コップ付きうがい薬等が提案されている。
【０００３】
例えば、登録実用新案第３０２４６４３号公報（特許文献１）は、人々の健康管理のため帰社時や帰宅時にうがいをするのは勿論のこと、外出先でも簡単に清潔なうがいが行えるように携帯用紙コップ付きうがい薬を提供する目的をもち、紙コップは１枚の防水加工をした紙をかき混ぜやすくする為に下部が少し細くなるように折り畳み、水や溶液が漏れにくいようにプレス加工を施して袋状にしたものであるとともに上部には、切り取りやすいようにミシン目が入っており、中部には水を注入する際のメモリが書いてあり、更にその袋状の紙コップの中にうがい薬をかき混ぜるかき混ぜ棒が入っているものである。
【０００４】
又、この特許文献１とは別に、薬液によるうがい行為と、その吐液処理が同時かつ衛生的に行えることを可能にした携帯用うがいパウチ容器が特開２０１１−１３９７５９号公報（特許文献２）により提案されている。
【０００５】
そして、かかるパウチ容器は、容器室を上下に分断する位置に指の力程度で開放が可能な遮蔽部を設け、スパウトに直結する上部を薬液室、下部を吐液処理室として分離する、薬液室にうがい薬などのうがい溶液が注入され、吐液処理室には吸水性高分子あるいは不織布あるいはそれらに殺菌成分などを付加しうがい行為後の吐液を保存・保持する吐液吸収物質を封入してある。
【０００６】
遮蔽部は、付属する先端が注針状のストローなどで容易に破断貫通が可能な隔膜状の薄いシートの設置、あるいは該パウチ容器を剥離可能なヒートシール処理、あるいは封止クリップ等の器具を装着するなどで遮蔽する構成のものである。
【先行技術文献】
【特許文献】
【０００７】
【特許文献１】登録実用新案第３０２４６４３号公報
【特許文献２】特開２０１１−１３９７５９号公報
【発明の概要】
【発明が解決しようとする課題】
【０００８】
前記特許文献１のような携帯用紙コップの場合には、これを使用する際に必ずうがい用の水等が必要となり、疾患者や咄嗟の口腔用リンシングには不向きであるとともに、うがい後の処理を環境的、衛生的に処理しづらい欠点を有するものである。
【０００９】
他方、特許文献２のパウチ容器にあっては、前記携帯用紙コップにおける前記問題点を解消し得るが反面、容器がかさばり携行に不便な欠点を有するとともに、使用に際しての使用方法に即座のうがいや、うがい後の吐液処理方法にも手間が掛かり、使用方法に難点を有するものである。
しかも、構成が複雑で量産性には不向きであるとともに安価な提供ができない欠点があり、実用化に難点を有するものである。
【００１０】
因って、本発明は前記従来題案されて、あまり実用化に至っていない実情に鑑みて疾患者等の咄嗟の使用やあるいは普段のエチケット用として、さらには特に喫煙後の口腔内リンシングおよび消臭用としての使用が容易に行うことができるとともに口腔内リンシング後の吐液処理も一連の動作・操作にて簡単に処理することができ、しかも常時の携帯、処理後の携行を衛生的に簡単に遂行でき、特にタバコと同サイズに構成することにより喫煙用としての携行に最適であり、さらには量産に適し安価に実用性に富んだ口腔内リンシング用の口腔内リンシングパイプの提供を目的とするものである。
【課題を解決するための手段】
【００１１】
本発明の口腔内リンシングパイプは、前記目的を達成するために請求項１の発明は、パイプ体の内側に１回分の洗口剤を充填して洗口剤収納部を設けるとともに当該洗口剤収納部には洗口剤の吸引用口部を設け、かつ前記パイプ体の開口部には、前記洗口剤収納部の吸引用口部の通孔を水密的に密閉することのできる密栓用のキャップを嵌着するとともに当該キャップには、前記洗口剤収納部の吸引用口部の通孔を連通するための連通孔を設け、また前記キャップを常時、密栓方向に付勢するスプリング等の弾性体を介装し、前記キャップを当該弾性体の弾力に抗して押圧することにより前記吸引用口部の通孔を前記パイプ体の洗口剤収納部と連通することができるように構成したことを特徴とする。
【００１２】
又、請求項２の発明は、パイプ体の内側を長さ方向に２分割する隔壁を設け、当該隔壁の一側に１回分の洗口剤を充填して洗口剤収納部を設けるとともに他側にリンシング処理液の吐下液収納部を設け、さらに前記洗口剤収納部には洗口剤の吸引用口部を設けるとともに前記吐下液収納部には吐下用口部を設け、かつ前記パイプ体の開口部には、前記洗口剤収納部と吐下液収納部の吸引用口部と吐下用口部の通孔を水密的に密閉することのできる密栓用のキャップを嵌着するとともに当該キャップには、前記各収納部と前記各口部の通孔を連通するための連通孔を設け、また前記キャップを常時、密栓方向に付勢するスプリング等の弾性体を介装し、前記キャップを当該弾性体の弾力に抗して押圧することにより前記各口部の通孔を前記パイプ体の各収納部と連通することができるように構成したことを特徴とする。
【発明の効果】
【００１３】
本発明の口腔内リンシングパイプによれば、パイプ体に嵌着した密栓用のキャップを弾性体の弾力に抗して押圧しつつ洗口剤収納部に充填した洗口剤をパイプ体に備える吸引用口部を介して吸引することにより所要の口腔内リンシングを行うとともにリンシング後の処理液はそのまま口腔内のリンシング処理液を再度前記吸引用口部を介して、パイプ体内の内側に吐下しつつ処理することができ、さらに、前記キャップの押圧力を解放することにより、パイプ体の開口部をキャップにて密栓することができるので、口腔内リンシング後のパイプ体を衛生的に廃棄処理することができる。
【００１４】
特に請求項２の発明によれば、前記口腔内リンシング処理液は、パイプ体に備える吐下用口部を介して、パイプ体の吐下液収納部内に吐下しつつ処理することができ、さらに、前記キャップの押圧力を解放することにより、パイプ体の開口部をキャップにて密栓することができるので、口腔内リンシング後のパイプ体を衛生的に廃棄処理することができる。
【００１５】
そして、本発明の口腔内リンシングパイプによる口腔内リンシングは、単に前記キャップの操作のみにて、簡単に行うことができるとともにパイプ体の携行は極めて至便であり、常時の携行が簡単であるとともに普段の携行や保管が困難な航空機内等における咄嗟の使用にも備えることができる。
【００１６】
しかも、構成が簡単で量産に適し、安価に提供することができる。
【図面の簡単な説明】
【００１７】
【図１】本発明の実施例１の口腔内リンシングパイプの正面図
【図２】本発明の実施例１の口腔内リンシングパイプの縦断面図
【図３】本発明の実施例１の口腔内リンシングパイプの使用状態を示す部分断面図
【図４】本発明の実施例２の口腔内リンシングパイプの正面図
【図５】本発明の実施例２の口腔内リンシングパイプの縦断面図
【図６】本発明の実施例２の口腔内リンシングパイプの使用状態を示す部分断面図
【符号の説明】
【００１８】
１    パイプ体
２    隔壁
３    洗口剤
４    洗口剤収納部
５    吐下液収納部
６    吸引用口部
７    吐下用口部
８    開口部
９、１０  通孔
１１  キャップ
１２、１３  連通孔
１４  スプリング
１５  吸湿剤
Ａ    実施例１の口腔内リンシングパイプ
Ｂ    実施例２の口腔内リンシングパイプ
【実施例１】
【００１９】
図１〜３は本発明の口腔内リンシングパイプＡの実施例１を示すもので、図１は、口腔内リンシングパイプＡの正面図、図２は同縦断面図、図３は使用状態を示す部分断面図である。
【００２０】
図１に示す如く、本実施例１の口腔内リンシングパイプＡは、パイプ体１から成り、当該パイプ体１は、図２に示す如く円筒状のパイプ体１にて形成するとともに、その内側に洗口剤３を充填する洗口剤収納部４を設けることにより形成されている。
【００２１】
さらに、前記パイプ体１の洗口剤収納部４には、当該収納部４内に充填される１回分の洗口剤３を吸引するための吸引用口部６を突設することにより形成されている。
【００２２】
又、この吸引口部６には、パイプ体１の開口部８において、パイプ１の洗口剤収納部４内に連通する通孔９が開口されている。
【００２３】
そして、１１は、パイプ体１の開口部８に嵌着した、開口部８を水密的に密栓するためのキャップで、このキャップ１１には、前記洗口剤収納部４と吸引用口部６の通孔９をパイプ体１の洗口剤収納部４に連通するための連通孔１２を貫通して設けるとともに、パイプ体１の開口部８において、スプリング１４を介装することにより、当該スプリング１４の弾性力により、前記キャップ１１を、前記連通孔１２が前記吸引用口部６の通孔９との連通を阻止する位置に付勢することができるように構成されている。
【００２４】
尚、スプリング１４の弾性力は、前記キャップ１１が、パイプ体１の開口部８より突出してしまうことがないように、調整されたものである。
【００２５】
そして、キャップ１１を図２の矢印方向より、手指の押圧力にて、押圧した場合には、キャップ１１は、図３に示す如くパイプ体１の開口部８内において下側方向に押し下げられて、前記連通孔１２が前記吸引用口部６の通孔９に位置合わせされ、同通孔９がパイプ体１の洗口剤収納部４と連通される位置にて固定されるように調整されている。
【００２６】
さらに、前記キャップ１１をパイプ１の開口部８に嵌着するのに先立って、洗口剤収納部４内には、１回分の洗口に必要な量の洗口剤３を充填する。
【００２７】
因って、以上の構成から成る口腔内リンシングパイプＡを使用する場合には、パイプ体１を手にて把持しつつ、キャップ１１を、図２の矢印方向に押圧する。
【００２８】
キャップ１１を開口部８内において、スプリング１４の弾力に抗して押し下げることにより、図３に示す位置で固定すると、キャップ１１の連通孔１２が吸引用口部６の通孔９と一致して、同通孔９をパイプ体１の洗口剤収納部４に、キャップ１１の連通孔１２を介して連通することができる。
【００２９】
因って、かかる状態において、まず吸引用口部６を口に加えて、吸引することにより、洗口剤収納部４内の洗口剤３を口腔内に吸引することができるので、これにより口腔内リンシング（漱ぎ）を行う。
【００３０】
しかる後、リンシング後には、前記吸引口６を口に咥えつつ口腔内のリンシング処理液を吐下する。
【００３１】
吐下後、キャップ１１の手指による押圧力を解除することにより、キャップ１１はスプリング１４の弾力により、図２の位置に復帰し、吸引用口部６の通孔９を密閉することができるものである。
【００３２】
以上のリンシングが終了後の口腔内リンシングパイプＡは、予め一般ゴミとして処理できる材料にて形成することにより、直接ゴミ箱等に廃棄することができ、即座に廃棄できない場合には、キャップ１１により、水密的に密閉することができので、そのままの状態にて、廃棄するまで、衛生的に携行することができる。
【実施例２】
【００３３】
図４〜６は本発明の口腔内リンシングパイプＢの実施例２を示すもので、図４は、口腔内リンシングパイプＢの正面図、図５は同縦断面図、図６は使用状態を示す部分断面図である。
【００３４】
図４に示す如く、本実施例２の口腔内リンシングパイプＢは、パイプ体１から成り、当該パイプ体１は、図５に示す如く円筒状のパイプ体１にて形成するとともに、その内側を長さ方向に２分割する隔壁２を設けることにより、一側に洗口剤３を充填する洗口剤収納部４を設け、他側には、口腔内を洗口剤３にてリンシング（漱ぐ）した後のリンシング処理液を吐下収納するための吐下液収納部５をもうけることにより形成されている。
【００３５】
さらに、前記パイプ体１の各収納部４，５には、それぞれ洗口剤収納部４には、当該収納部４内に充填される１回分の洗口剤３を吸引するための吸引用口部６を突設するとともに吐下液収納部５には、吐下用口部７を突設することにより形成されている。
【００３６】
又、両口部６，７には、パイプ体１の開口部８において、それぞれの各収納部４，５内に連通する通孔９、１０が開口されている。
【００３７】
そして、１１は、パイプ体１の開口部８に嵌着した、開口部８を水密的に密栓するためのキャップで、このキャップ１１には、前記洗口剤収納部４と吐下液収納部５の各吸引用口部６、吐下用口部７の通孔９，１０をパイプ体１の各収納部４，５に連通するための連通孔１２，１３を貫通して設けるとともに、パイプ体１の開口部８において、スプリング１４を介装することにより、当該スプリング１４の弾性力により、前記キャップ１１を、前記連通孔１２，１３が前記吸引用口部６と吐下用開口部７の通孔９，１０との連通を阻止する位置に付勢することができるように構成されている。
【００３８】
尚、スプリング１４の弾性力は、前記キャップ１１が、パイプ体１の開口部８より突出してしまうことがないように、調整されたものである。
【００３９】
そして、キャップ１１を図５の矢印方向より、手指の押圧力にて、押圧した場合には、キャップ１１は、図６に示す如くパイプ体１の開口部８内において下側方向に押し下げられて、前記連通孔１２，１３が前記吸引用口部６、吐下用口部７の通孔９，１０に位置合わせされ、同通孔９，１０が各収納部４，５と連通される位置にて固定されるように調整されている。
【００４０】
さらに、前記キャップ１１をパイプ１の開口部８に嵌着するのに先立って、洗口剤収納部４内には、１回分の洗口に必要な量の洗口剤３を充填する。
【００４１】
又、吐下液収納部５内には、必要に応じて、吐下液を吸湿処理するための吸湿剤１５、例えば吸湿性を具備する吸湿性高分子（ポリマ）等を充填する。
【００４２】
因って、以上の構成から成る口腔内リンシングパイプＡを使用する場合には、パイプ体１を手にて把持しつつ、キャップ１１を、図５の矢印方向に押圧する。
【００４３】
キャップ１１を開口部８内において、スプリング１４の弾力に抗して押し下げることにより、図３に示す位置で固定すると、キャップ１１の連通孔１２，１３がそれぞれ吸引用口部６の通孔９および吐下用口部７の通孔１０と一致して、それぞれの通孔９，１０をパイプ体１の洗口剤収納部４および吐下液収納部５に、キャップ１１の連通孔１２，１３を介して連通することができる。
【００４４】
因って、かかる状態において、まず吸引用口部６を口に加えて、吸引することにより、洗口剤収納部４内の洗口剤３を口腔内に吸引することができるので、これにより口腔内リンシング（漱ぎ）を行う。
【００４５】
しかる後、リンシング後には、吐下用口部７を口に加えつつ口腔内のリンシング処理液を吐下する。
【００４６】
吐下後、キャップ１１の手指による押圧力を解除することにより、キャップ１１はスプリング１４の弾力により、図５の位置に復帰し、吸引用口部６と吐下用口部７の通孔９，１０を密閉することができるものである。
【００４７】
尚、吐下液収納部５内に吸湿剤１５が充填されている場合には、この吸湿剤１５により吸湿されて、処理される。
【００４８】
以上のリンシングが終了後の口腔内リンシングパイプＡは、予め一般ゴミとして処理できる材料にて形成することにより、直接ゴミ箱等に廃棄することができ、即座に廃棄できない場合には、キャップ１１により、水密的に密閉することができので、そのままの状態にて、廃棄するまで、衛生的に携行することができる。
【図１】
2014031184.tif 000003
【図２】
2014031184.tif 000004
【図３】
2014031184.tif 000005
【図４】
2014031184.tif 000006
【図５】
2014031184.tif 000007
【図６】
2014031184.tif 000008